(57)【要約】【課題】軽量盛土工法と、土砂による法面構築工法との組み合わせ工法において生じる不同沈下を防止する。【解決手段】上下の発泡合成樹脂間に支持されたジオグリッド等によって土砂による法面構造を補強する、軽量盛土工法と土砂による法面構築工法との組み合わせ工法において、側断面クランク状に成型したジオグリッド等のクランク形状の１側及び中間部を、土砂側の発泡合成樹脂の上面及び側面に沿うようにし、クランク形状の他側を該発泡合成樹脂の下面と直線的になるよう土砂側に敷設する。【選択図】　　　図４
2004092016.tif 000002
【特許請求の範囲】
【請求項１】
上下の発泡合成樹脂間に支持されたジオグリッド等によって土砂による法面構造を補強する、軽量盛土工法と土砂による法面構築工法との組み合わせ工法において、側断面クランク状に成型したジオグリッド等のクランク形状の１側及び中間部を、土砂側の発泡合成樹脂の上面及び側面に沿うようにし、クランク形状の他側を該発泡樹脂の下面と直線的になるよう土砂側に敷設することを特徴とする組み合わせ工法。
【請求項２】
上下の発泡合成樹脂間に支持されたジオグリッド等によって土砂による法面構造を補強する、軽量盛土工法と土砂による法面構築工法との組み合わせ工法において、最下層の転圧された土砂による法面層の下部に発泡合成樹脂ブロックを配したことを特徴とする組み合わせ工法。
【発明の詳細な説明】
【０００１】
【発明の属する技術分野】
本発明は、発泡合成樹脂を利用する軽量盛土工法と、土砂を利用する法面構築工法との組み合わせ工法おいて生じうる不同沈下の対策に関わる。
【０００２】
【従来の技術】
軟弱地盤や急傾斜地において、土の重量の約１／１００程度の発泡ポリスチレン等の発泡合成樹脂ブロックを縦方向に積み重ねて盛土を構築したり、横方向に整列させ盛土を拡幅することは、軽量盛土工法として古くから知られており、ＪＩＳ（日本工業規格）においてもこのような工法と関わるジオシンセティック領域の専門用語の標準化を図ることの検討が進められている。
【０００３】
ところでこのような軽量盛土工法においても、近年の表面緑化等の要望の流れから、法面部もしくは壁面部をコンクリートやコンクリートブロックで覆うのではなく、土砂で構築し、前記のような軽量盛土構造と組み合わせる試みがなされている。このような組み合わせ工法の一例を図１及び図２に基づいて説明する。図１の右側に段差を持って積み上げられた発泡合成樹脂ブロック１１の左側に土砂層１３で法面を形成するにあたり、エキスパンドメタルを屈曲させて法面角度で傾斜し法面表面を形成する土留面１２ｂと、その下部に連なる下部支持面１２ａとを有する土留用壁面材１２を用意し、法面を構築すべき地表上にこの土留用壁面１２を水平方向に配置する。なお、土留用壁面材１２はその土留面１２ｂの後面に沿って植生シート１５が取り付けられている。
【０００４】
次いで地表上にジオグリッドとしての補強シート１７が展開されて、展開された補強シート１７の法面側側端縁が、土留用壁面材１２の下部支持面１２ａの土留面から遠い方の端縁に連結される。この補強シート１７はアンカーピン１６によって固定されることによって土留用壁面材１２が地表に固定されることになる。
なお、この補強シート１７と土留用壁面材１２の下部支持面１２ａとの連結部には、土留用壁面材１２の下部支持面１２ａと土留面１２ｂとの間に斜め方向に介在して土留用壁面材１２の拡開を防止する補強材１８の下端が連係される。
この後、このように地表に固定された土留用壁面材１２と適当な間隔をおいて最下段の発泡合成樹脂ブロック１１が、その一部が、補強シート１７上に位置するように配置される。
【０００５】
最下部の発泡合成樹脂ブロック１１が配置されると、各土留用壁面材１２の土留面１２ｂと発泡合成樹脂ブロック１１との間に土砂１３が充填されて、各土留用壁面材１２の上面および発泡合成樹脂ブロック１１の上面と同じ高さになるように転圧される。
このような土留用壁面材１２と補強シート１７との関係において、補強シート１７がアンカーピン１６によって地表面に固定されていること、及び補強シート１７が下面の地表面と、上面の発泡合成樹脂ブロック１１及び転圧土砂１３間に強圧されていることによる摩擦抵抗によって、土留用壁面材１２の法面側への移動が防止されることになる。
【０００６】
このようにして、最下部の法面が構築されると、転圧された土砂１３上に、前記と同様に土留用壁面材１２が、水平方向に沿って配置される。この場合も、土留用壁面材１２の土留面１２ｂの後面には、植生シート１５が配置されている。各土留用壁面材１２は、土留面１２ｂが、下側の各土留用壁面材１２における土留面１２ｂに連続した傾斜状態になるように、それぞれ配置される。
最下部土砂１３上に各土留用壁面材１２が水平方向に沿って配置されると、補強シート１７は、発泡合成樹脂ブロック１１の上面に沿って展開されて、各土留用壁面材１２の下部支持面１２ａにおける土留面１２ｂの遠方側の側部上に、補強シート１７の側縁部が重ねられる。そして、補強シート１７の側縁部が、重ねられた下部支持面１２ａに一体的に連結される。
【０００７】
このような状態になると、アンカーピン１６を利用して、補強シート１７が下方の転圧土砂層１３及び／又は発泡合成樹脂ブロック１１に固定される。その後、各土留用壁面材１２および補強シート１７が固定された発泡合成樹脂ブロック１１上に、新たに発泡合成樹脂ブロック１１がそれぞれ積み重ねられて、各発泡合成樹脂ブロック１１と各土留用壁面材１２との間に土砂１３が充填されて転圧される。
このようにして、二段目の土留用壁面材１２も、それに固定された補強シート１７がアンカーピン１６によって下方の転圧土砂層１３及び／又は発泡合成樹脂ブロック１１に固定されていること並びに上下の転圧土砂１３及び発泡合成樹脂ブロック１１との摩擦抵抗により、法面側への移動が防止される。
【０００８】
以後、同様の動作が繰り返されることによって、所定の高さおよび水平方向長さにわたって、法面が構築されるものである。
【０００９】
【発明が解決しようとする課題】
ところで、この組み合わせ工法では、発泡合成樹脂ブロック層と土砂層の重量及び圧縮性等の相違から、図３の（Ｂ）に示す不同沈下３０が生じることは避けられない。本発明は土砂層側の不同沈下を極力低下させる構造を提供することを目的とする。
【００１０】
【課題を解決するための手段及び作用】
請求項１記載の発明によれば、上下の発泡合成樹脂間に支持されたジオグリッド等によって土砂による法面構造を補強する、軽量盛土工法と土砂による法面構築工法との組み合わせ工法において、側断面クランク状に成型したジオグリッド等のクランク形状の１側及び中間部を、土砂側の発泡合成樹脂の上面及び側面に沿うようにし、クランク形状の他側を該発泡合成樹脂の下面と直線的になるよう土砂側に敷設する組み合わせ工法が提供される。
これによって、ジオグリッド等のクランク形状の中間部である垂直面を利用して土砂層に上向きの引張力を作用させることができるので、各層の土砂層を個別に沈下に抗するようにすることができる。
【００１１】
請求項２記載の発明によれば、上下の発泡合成樹脂間に支持されたジオグリッド等によって土砂による法面構造を補強する、軽量盛土工法と土砂による法面構築工法との組み合わせ工法において、最下層の転圧された土砂による法面層の下部に発泡合成樹脂ブロックを配する組み合わせ工法が提供される。
これによって、発泡合成樹脂層側と法面側の土砂層側の圧縮性を近づけ不同沈下の発生をできる限り防止する。
【００１２】
【発明の実施の形態】
以下本発明の実施の形態を図面に基づいて詳細に説明する。
本発明の第１実施例は図４に示される。従来では土砂による法面構造の補強に用いられるジオグリッドは平面シート状であったが、本発明においてはジオグリッドは側断面が一端から順次、平面部２０ａ、中間の垂直面部２０ｂ、他端の平面部２０ｃとなる概略側断面視クランク形状として成型されている。そして、他端の平面部２０ｃについては従来例と同様に鋼製法面補強材２６に直接にあるいは間接的に固定された後、法面の土砂層に水平に配置されるが、中間の垂直面部２０ｂは発泡合成樹脂ブロックの法面側の垂直面に沿わされた後、発泡合成樹脂ブロックの上面側に沿わされ、固定される。理論的には、法面の各土砂層の沈下を防ぐには、発泡合成樹脂ブロックの法面側上部から、一層下に位置する鋼製法面補強材２６の下端に対して、つまり斜め下方向にジオグリッド２０を指向させることで、上向きの引張力を作用させうるので土砂の沈下に抗するに有効と考えられるが、このようにジオグリッド２０を斜め方向に指向させると土砂層の転圧は不可能であるため、本発明は次善の策として土砂層にジオグリッド２０を介して少しでも上方の引っ張り力を作用させるべく、ジオグリッドを断面概略クランク形状とするものである。即ち、ジオグリッドの垂直部２０ｂを利用して上向きの引っ張り力が作用するようにして土砂層の沈下をできる限り防ぐものである。
【００１３】
本発明の第２実施例は図５に示される。
この実施例においては、法面の最下層の転圧土砂層の下部に発泡合成樹脂ブロック１１を配置する。これによって、法面側の土砂層と、発泡合成樹脂ブロック層との圧縮性をできる限り近づける一方、法面の最下層の土砂層の下部層の側方流動化傾向３１をできる限り防ぎ、これらの相乗効果によって法面の土砂層の不同沈下を防止する。
【００１４】
【発明の効果】
以上詳述したように、本発明によれば、土砂層にジオグリッド等を介して上向きの引っ張り力を作用させるようにジオグリッド等を成型することによって、法面側の土砂層の発泡合成樹脂ブロック層側に対する不同沈下をできる限り少なくすることが可能となる。又、法面側の転圧土砂層の下部を発泡合成ブロックを配することによっても転圧土砂層の不同沈下をできる限り少なくすることが可能となる。
【図面の簡単な説明】
【図１】軽量盛土工法と、土砂による法面構築工法の組み合わせ工法の１従来例の断面図である。
【図２】図１の工法の斜視図である。
【図３】組み合わせ工法において生じうる不同沈下の模式図である。
【図４】ジオグリッドを利用した本発明の第１実施例である。
【図５】発泡合成樹脂ブロックを利用した本発明の第２実施例である。
【符号の説明】
１１…発泡合成樹脂ブロック、１２…土留壁面材、１３…土砂、１６…アンカーピン、１７…補強シート（ジオグリッド）、２０…ジオグリッド、２１…発泡合成樹脂ブロック、２６…鋼製法面補強材。
【図１】
2004092016.tif 000003
【図２】
2004092016.tif 000004
【図３】
2004092016.tif 000005
【図４】
2004092016.tif 000006
【図５】
2004092016.tif 000007